(57)【要約】【課題】暗証番号入力装置のハードウェアを変更することなく簡易にして、しかも確実にセキュリティを向上させることができる暗証番号入力装置を提供する。【解決手段】表示部に表示された複数の入力キーを押下して暗証番号を入力する暗証番号入力装置であって、複数の前記入力キーは、それぞれ０〜９の１０種の数字による数列群を複数組有し、これら数列群が各入力キーの所定の位置にランダムな順番で配置した。【選択図】図１
2008225742.tif 000002
【特許請求の範囲】
【請求項１】
表示部に表示された複数の入力キーを押下して暗証番号を入力する暗証番号入力装置であって、
複数の前記入力キーは、それぞれ０〜９の１０種の数字による数列群を複数組有し、これらの数列群が各入力キーの所定位置にランダムな順番で配置されることを特徴とする暗証番号入力装置。
【請求項２】
複数の前記入力キーは、それぞれの入力キーにおける所定位置に配置された前記数字にそれぞれ所定の記号を組み合わせたことを特徴とする請求項１に記載の暗証番号入力装置。
【請求項３】
複数の前記入力キーは、それぞれの入力キーにおける所定位置に配置された前記数字に換えて異なる文字をそれぞれ配置したことを特徴とする請求項１または２に記載の暗証番号入力装置。
【請求項４】
複数の前記入力キーは、それぞれの入力キーにおける所定位置に配置された前記数字に換えて異なる色付けがなされた図形をそれぞれ配置したことを特徴とする請求項１または２に記載の暗証番号入力装置。
【請求項５】
複数の前記入力キーは、それぞれの入力キーにおける所定位置に前記数値、前記記号、前記文字、前記図形の少なくとも一つが配置されたことを特徴とする請求項１〜４のいずれかに記載の暗証番号入力装置。
【発明の詳細な説明】
【技術分野】
【０００１】
本発明は暗証番号入力装置に係り、特に利用者が入力した暗証番号が他人に知られないようにした暗証番号入力装置に関する。
【背景技術】
【０００２】
従来、透明なタッチパネルを備えたＣＲＴや液晶パネル等の表示部に図８に示すように表示されたテンキーを押下して暗証番号を入力する暗証番号入力装置が知られている。この図において１は、表示部であり、この表面には透明なタッチパネル（図示せず）が取り付けられたものとなっている。そして表示部１には、１０個のテンキー２が表示され、それぞれ０〜９間での１０個の数値が順に配置されている。また表示部１には、テンキー２を押下することによって暗証番号の入力がなされ、図示しない他の装置にこの暗証番号を転送する入力キー３や、テンキー２から入力した暗証番号に誤りがあり、これを利用者がクリアすることができるクリアキー４等が表示される。このような表示部１を備えた暗証番号入力装置は、例えば銀行やコンビニエンス・ストアに設置されたＡＴＭ等に適用されている。
【０００３】
しかしながらこの種の暗証番号入力装置は、利用者が暗証番号を入力する際、背後の他人に暗証番号が読み取られてしまうという問題がある。またこの装置は、暗証番号を入力しているテンキーが他人に見えなかったとしても、暗証番号を入力している利用者の指または手、あるいは腕の動きから、利用者の周辺で順番待ちをしている他人に知られてしまうという懸念がある。
【０００４】
そこで、このような問題を解決する暗証番号を入力する装置（例えば、特許文献１を参照）や、暗証番号の入力表示方法（例えば、特許文献２を参照）が提唱されている。
特許文献１に記載の装置は、表示部に０〜９の１０個の数値からなるテンキーを複数設けて構成される。この装置の利用者は暗証番号の各桁の数値を入力する場合に、複数の同一入力キーから一つの入力キーを選択することができるため、この選択の自由度によって暗証番号が利用者の指等の動きから他人に知られないようにしている。
【０００５】
また特許文献２に記載の方法は、０〜９の１０個の必須数値キー群に加えて他のキー群から構成される暗証番号キー群を表示部に表示させ、必須数値キー群の少なくとも９個の数列キーの配列を固定し、この固定した数列キーの配列を維持しつつ暗証番号キー群の配列内でランダムに移動させるように構成されている。
【特許文献１】特開平９−２９７８７５号公報
【特許文献２】特開２００６−１３４００９号公報
【発明の開示】
【発明が解決しようとする課題】
【０００６】
しかしながら、前述した特許文献１に記載の暗証番号を入力する装置は、表示部に複数のテンキーを設けなければならず、表示部を大きくする必要がある。このため、表示部が他人に視認されやすくなるという懸念がある。また表示部が大きくなるため、装置全体が大きくなるという問題も生じる。もちろん表示部に従来の暗証番号入力装置と同一画面サイズを適用することは、可能であるものの、複数組のテンキー狭い画面内に表示させなければならないため、各キーの大きさが小さくなり視認性および操作性の低下することが否めない。
【０００７】
また前述した特許文献２に記載の暗証番号の入力表示方法は、必須数値キー群の配列が維持されているため、例えば悪意をもって表示部を視野するカメラで撮影（盗撮）がなされると、暗証番号を読み取られるという懸念がある。このような懸念は、前述した特許文献１，２に限られることなく、暗証番号入力装置の共通な問題点といえる。
本発明は、このような従来の事情を考慮してなされたものであり、その目的は暗証番号入力装置のハードウェアを変更することなく簡易にして、しかも確実にセキュリティを向上させることができる暗証番号入力装置を提供することにある。
【課題を解決するための手段】
【０００８】
上述した目的を達成するべく本発明の暗証番号入力装置は、表示部に表示された複数の入力キーを押下して暗証番号を入力する暗証番号入力装置であって、複数の前記入力キーは、それぞれ０〜９の１０種の数字による数列群を複数組有し、これらの数列群が各入力キーの所定位置にランダムな順番で配置されることを特徴としている。
好ましくは複数の前記入力キーは、それぞれの入力キーにおける所定位置に配置された前記数字にそれぞれ所定の記号を組み合わせることが望ましい。
【０００９】
あるいは複数の前記入力キーは、それぞれの入力キーにおける所定位置に配置された前記数字に換えて異なる文字をそれぞれ配置してもよい。
好ましくは複数の前記入力キーは、それぞれの入力キーにおける所定位置に配置された前記数字に換えて異なる色付けがなされた図形をそれぞれ配置したことが望ましい。
あるいは複数の前記入力キーは、それぞれの入力キーにおける所定位置に前記数値、前記記号、前記文字、前記図形の少なくとも一つが配置されたことを特徴としている。
【発明の効果】
【００１０】
本発明の請求項１に係る暗証番号入力装置によれば、表示部に表示された複数の入力キーが、それぞれ０〜９の１０種の数字による数列群を複数組有し、これら数列群が各入力キーの所定の位置にランダムな順番で配置されているので、利用者がテンキーに入力した暗証番号が盗撮されたとしても、他人は、入力キーのどの位置に表示された数字を見て利用者が入力したのかを判別することができない。このため本発明の暗証番号入力装置は、確実にセキュリティを向上させることができる。
【００１１】
また本発明の請求項２に係る暗証番号入力装置によれば、前記入力キーは、それぞれの入力キーの所定位置に配置された数字に所定の記号（属性）を組み合わせているので、数字だけを用いた場合に比べて、よりセキュリティ強度を高めることができる。
あるいは本発明の請求項３に係る暗証番号入力装置によれば、複数の前記入力キーは、前記数字に換えて異なる文字を配置しているので、この文字に例えばアルファベットを用いることによって、０〜９までの１０種類の数字に比べて２６種類（大文字と小文字を区別すれば、さらに５２種類）もの文字を用いた暗証番号とすることができ、さらにセキュリティを向上されることが可能となる。
【００１２】
また本発明の請求項４に係る暗証番号入力装置によれば、複数の前記入力キーは、前記数字に換えて異なる色付けがなされた図形を配置しているので、他人が読み取ることが困難となり、数字、記号または文字を用いた場合に比べてセキュリティを高めることができる。
さらに本発明の請求項５に係る暗証番号入力装置によれば、前記入力キーには、所定の位置に前記数値、前記記号、前記文字、前記図形の少なくとも一つが配置されているので、必要となるセキュリティのレベルに応じて入力キーに表示させる数値、記号等を選ぶことができ、所望のセキュリティに応じた暗証番号入力装置を構築することができる等の実用上多大なる効果を奏する。
【発明を実施するための最良の形態】
【００１３】
以下、本発明の暗証番号入力装置に係る実施の形態について添付図面を参照しながら説明する。
尚、図１〜図７は、本発明の実施形態を説明する図面であって、これらの図面によって本発明が限定されるものではない。またこれらの図中、図８と同一の符号を付した部分は同一物を表し、基本的な構成は図に示す従来の暗証番号入力装置と同様である。
【００１４】
さて、図１は、ネットワークを利用した暗証番号入力装置における一実施形態の概略構成を示すブロック図である。この図において５は、インターネット等のネットワークである。このネットワーク５には、本発明の暗証番号入力装置が適用される端末１０、およびこの端末１０から入力される暗証番号を照合するホストコンピュータ６が接続される。ちなみに端末１０は、例えばＡＴＭ（Automated Teller Machine：現金自動預け払い機）等であるが、この図では、本発明の暗証番号入力装置の特徴ある構成要素のみを示している。
【００１５】
この端末１０は、テンキーが表示される表示部１、この表示部１の表面に配置されて、テンキーが利用者によって押下されたことを検出する、例えばタッチパネルを備えた入力部１１、表示部１に表示されるテンキーの所定の位置にランダムな順番で０〜９の１０種の数字による数列群を複数組配置するキー配列制御部１２、このキー配列制御部１２によってテンキーに配列された数列群の配列情報を保持する配列テーブル１３、ネットワーク５を介してホストコンピュータ６と通信を行う通信インタフェース１４およびこの暗証番号入力装置全体の制御を司る制御部１５を備える。
【００１６】
表示部１には、例えば図２に示すように１０個のテンキー２が表示され、それぞれ０〜９の１０個の数値が順番に付与される。また表示部１には、暗証番号の入力が済んだことを暗証番号入力装置を介してホストコンピュータ６に伝える入力キー３、テンキー２から入力した暗証番号に誤りがあり、これを利用者がクリアする指令を暗証番号入力装置に伝えるクリアキー４等が表示される。これら表示部１に表示されたテンキー２等が利用者によって押下されると、入力部（タッチパネル）１１は、その押下状態を検出する。制御部１５は、入力部１１の検出情報を受けて、どのキーが押下されたのかを判定する。
【００１７】
また１０個のテンキー２の中央部２ａ、左上部２ｂおよび右下部２ｃには、それぞれ０〜９の１０個の数列群からなる数字が配置されている。つまり１０個のテンキー２の中央部２ａには、０〜９の１０種の数字がそれぞれ一つずつ配置され、またテンキー２の左上部２ｂおよび右下部２ｃにも同様に０〜９の１０個の数列群からなる数字が、キー配列制御部１２によって割り付けがなされている。
【００１８】
これら三つの数列群からなる１０種の数値の配置は、キー配列制御部１２によって所定の場所に数列群毎にランダムに配列される。あるいはこの配置は、数値の配置情報を複数用意して、これら配列情報が予め保持された配列テーブル１３の配列情報を用いてもかまわない。
ここでは理解を容易にするため図２に示したテンキー２を上方から下方に向かって行１〜行４と割り付け、左方から右方に向かって列１〜列３と割り付けをする。すると図３に示すように各テンキー２の数値を一覧にした図が得られる。
【００１９】
このような表示がなされた本発明の暗証番号入力装置は、利用者と、この装置によって利用者の暗証番号を確認する確認者（例えば、銀行のＡＴＭに本装置を適用する場合は、銀行の担当者等）との間で予め暗証番号の取り決め（暗証番号登録）を行う。
ここでは登録した暗証番号は、四桁で「１２３４」であるものとする。そして暗証番号の各桁におけるキー割り付け位置を、上位の桁からテンキー２の「左上」、「中央」、「右下」、「左上」と定めたとする。
【００２０】
利用者は、図２に示したキー配列が表示されたテンキー２に暗証番号を入力する場合、予め定められた位置に表示された暗証番号の数値を押下する。つまりこの場合、利用者は、［行３、列１］（暗証番号の１）、［行１、列２］（暗証番号の２）、［行２、列１］（暗証番号の３）、［行４、列２］（暗証番号の４）の順にテンキー２を押下し、［行４、列３］の入力キーを押下する。
【００２１】
暗証番号の入力が終了すると本発明の暗証番号入力装置は、テンキー２に表示される数の順番をキー配列制御部１２の制御のもと、ランダムに入れ替える。するとテンキー２の配列は、例えば図４、図５に示すようになる。
そして上述した利用者が再び四桁の暗証番号を入力するとき、利用者は、図４に示したキー配列を見て、［行１、列２］（暗証番号の１）、［行２、列２］（暗証番号の２）、［行１、列３］（暗証番号の３）、［行３、列３］（暗証番号の４）の順にテンキー２を押下する。
【００２２】
次に、上述したようにして暗証番号が入力された本発明の暗証番号入力装置において、ホストコンピュータ６が正しい暗証番号が端末１０から入力されたかを確認する方法について説明する。ちなみにホストコンピュータ６には、上述したように利用者と予め取り決めを行ったキー割り付け情報が予め保持されている。
さて、上述した図２に示したようにテンキー２の所定位置（左上、中央、右下）にそれぞれ数字が割り当てられたテンキー２が利用者によって押下されると、暗証番号入力装置（端末１０）は、ホストコンピュータ６に対して例えば［左上、中央、右下］に割り付けられた数値を順番に送出する。したがって上述した図２，図３に示されるようにテンキー２の表示が表示部１になされた場合、暗証番号入力装置は、［１，７，４］（行３、列１）、［８，２，０］（行１、列２）、［９，４，３］（行２、列１）、［４，０，６］（行４、列２）のデータをホストコンピュータ６に送出する。
【００２３】
一方、これらのデータを受け取ったホストコンピュータ６は、この利用者と予め取り決めを行ったキー割り付け情報を保持しているので、その割り付け情報を参照しながら割り付け位置に該当する数値を抽出する。つまり、この場合、各桁のキー割り付けは、上位の桁から「左上」、「中央」、「右下」、「左上」としているので、その暗証番号は、「１，２，３，４」であることがわかる。したがってホストコンピュータ６は、この利用者の暗証番号が正しいことが確認できるので、所定の次工程を実行する（例えば、金銭入出金処理等）。
【００２４】
次に上述した図４に示すようにテンキー２のキー配列が変更された場合、利用者が暗証番号を入力した場合について説明する。このとき暗証番号入力装置は、利用者が押下したテンキー情報として［１，９，２］（行１，行２）、［８，２，８］（行２、列２）、［５，０，３］（行１、列３）、［４，８，０］（行３，列３）のデータをホストコンピュータ６に送出する。
【００２５】
これを受け取ったホストコンピュータ６は、上述したように、利用者と予め取り決めを行ったキー割り付け情報を保持しているので、その割り付け位置に該当する数値を抽出し、暗証番号である「１，２，３，４」を得る。
かくして本発明の暗証番号入力装置は、テンキー２の所定位置にそれぞれ複数の数列群からなる数字がランダムに配列され、しかも暗証番号を入力する都度、テンキー２に表示される数字をランダムに再配置しているので、暗証番号を入力している画面を第三者に見られたとしても、その利用者の暗証番号を推察することは極めて困難である。
【００２６】
また本発明の暗証番号入力装置は、表示部１のテンキー２に表示される数図を数列群毎にランダムに配置しているので利用者の指、手あるいは腕の動きから暗証番号を推察することも困難である。さらに本発明の暗証番号入力装置は、従来のＡＴＭ等に対してもそのソフトウェアの変更だけで実現することができる。すなわち本発明の暗証番号入力装置は、ハードウェアの改造が不要であり、ソフトウェアの変更だけで極めて高いセキュリティを容易に得ることができる等の実用上、多大なる効果を奏する。
【００２７】
尚、上述した実施形態は、テンキー２の所定位置に配置される数字を数列群毎にキー配列制御部１２がランダムに並び替えることによって行ったが、この方法に換えてテンキー２に配置される数列群毎の配置情報を予めホストコンピュータ６および端末１０にそれぞれ保持させるよう実施形態を変形してもよい。
この場合、配置情報は、テンキー２に１０個の数値を並び替えると［１０！＝３６２８８００］通りある。この変形した実施形態は、この数だけの配置情報を配置表としてホストコンピュータ６と端末１０に予め保持させておく。
【００２８】
そして上述したようにテンキー２に三つの数列群からなる数値を配置する場合、それぞれの数列群の配置情報として、どの配置表を用いたのかをホストコンピュータ６から端末１０に送出する。端末１０は、ホストコンピュータ６から通知された配置情報に相当するキー配列を配列テーブル１３に予め保持された配置情報を用いてテンキー２に表示させる。
【００２９】
このように変形した実施形態によれば、利用者が入力した暗証番号を端末１０が配置情報から判定することができ、端末１０は、その判定した暗証番号をホストコンピュータ６に送出すればよい。したがってホストコンピュータ６は、暗証番号の抽出が不要となり、従来の暗証番号確認方法を適用することができる。またこの方法は、端末１０からホストコンピュータ６に送出するデータを少なくすることができる。このためこの実施形態は、例えば端末１０が携帯電話機のような場合で、押下された暗証番号をパケットとして送出する場合、その通信料を抑えることができるのでより好ましい。
【００３０】
またこの実施形態は、予め用意した膨大な数の配置情報を用いているのでセキュリティをより向上させることが可能となる。
尚、本発明の暗証番号入力装置は、必要に応じて予め全てのテンキー２の配置情報を予めホストコンピュータ６に送出するように構成してもよい。このように構成することで本発明の暗証番号入力装置は、例えば間接キー入力があった場合であっても、正しい暗証番号の確認を行うことが可能となる。
【００３１】
次に本発明の第二の実施形態に係る暗証番号入力装置について説明する。この実施形態が上述した第一の実施形態と異なるところは、複数のテンキー２にそれぞれ表示される数字に所定の記号（属性）を付与した点にある。ここに所定の記号（属性）は、数列群の数だけ用意するものとする。具体的には上述したように三つの数列群を組み合わせた場合、この数列群の数に相当する三つの記号（属性）として例えば「△」、「×」、「○」の記号を用意する。そして、図６に示すように１０個のテンキー２の中央部２ａ、左上部２ｂおよび右下部２ｃに、０〜９の１０種の数字に「△」、「×」、「○」の記号をそれぞれ付与する。この記号（属性）は、同一数字で振り分けを行う。ここでは理解を容易にするために図５に示した数列および記号（属性）からなる数列群を配置毎に一覧にした図６を用いる。
【００３２】
この図６に示すように例えば数字「１」には、「左上」、「中央」、「右下」の順にそれぞれ「△」、「×」、「○」を割り当て、数字の「２」には、「左上」、「中央」、「右下」の順にそれぞれ「○」、「×」、「△」というように三つの同一の数値にそれぞれ異なる記号を予め付与しておく。
そして利用者と確認者との間で予め暗証番号を例えば［１△、２○、３×、４△］などのように取り決めておく（暗証番号登録）。利用者は、このようして取り決めされた暗証番号を表示部１に表示されたテンキー２を順に押下すれば、ホストコンピュータ６がその暗証番号が正しいか否かを判定することができる。
【００３３】
この第二の実施形態は、数値に属性がついているので、第一の実施形態のようにホストコンピュータ６にテンキー２のどの位置（左上、中央、右下）の暗証番号であるかという配置情報を送出する必要がない。もちろんこの第二の実施形態は、前述した第一の実施形態のようにテンキー２の位置情報をホストコンピュータ６に送出するようにしてもかまわないし、属性と配置情報を混在させてもよい。
【００３４】
かくして本発明の第二の実施形態に係る暗証番号入力装置は、数字に記号（属性）を付与しているので、利用者がテンキー２に入力する様子が第三者に視認されたとしてもその暗証番号を推察することは極めて困難となる。
次に本発明の第三の実施形態に係る暗証番号入力装置について説明する。この実施形態が上述した第一および第二の実施形態と異なるところは、複数のテンキー２にそれぞれ表示される数字に換えて異なる文字を配置したところにある。
【００３５】
この文字としては、例えば大文字のアルファベット（Ａ〜Ｚ）および小文字のアルファベット（ａ〜ｚ）等を用いる。
そうして利用者と確認者との間で暗証番号を例えば［ＡｂＣｄ］などのように予め取り決めをしておく（暗証番号登録）。利用者は、表示部１の所定の位置に配置されたアルファベットが表示されたテンキー２を順に押下すればよい。
【００３６】
かくして本発明の第三の実施形態に係る暗証番号入力装置は、１０個の数字に比べてより種類が多い２６文字（大文字と小文字を使えば５２文字）を暗証番号として用いているので、利用者がテンキー２に入力する様子が第三者に視認されたとしてもその暗証番号を推察することがいっそう困難となる。もちろん第三の実施形態は、アルファベット以外の文字を適用してもかまわない。
【００３７】
次に本発明の第四の実施形態に係る暗証番号入力装置について説明する。この実施形態が上述した第一〜第三の実施形態と異なるところは、複数のテンキー２にそれぞれ表示される数字、記号または文字に換えて異なる色付けがなされた図形をテンキー２の所定位置に配置したところにある。この図形は、図７に示すようにテンキー２の左上部２ａ、中央部２ｂ、右下部２ｃにそれぞれ異なる色付けがなされた図形（例えば方形）が適用される。
【００３８】
そうして利用者と確認者との間で予め暗証番号として［赤黄緑赤］と定め、順にテンキー２の割り付け位置を、テンキー２の「左上」、「中央」、「右下」、「左上」と取り決めておく（暗証番号登録）。利用者は、表示部１の所定位置に配置されて表示されたテンキー２を予め定めた暗証番号順に押下すればよい。
かくして本発明の第四の実施形態に係る暗証番号入力装置は、異なる色の図形を暗証番号としているので、利用者がテンキー２に入力する様子が第三者に視認されたとしても数値や文字、あるいは記号でないのでその暗証番号を推察することがいっそう困難となる。
【００３９】
もちろんこの図形は、方形に限らず三角形、円形など任意の図形と色を組み合わせてもよい。このように構成することで本発明の暗証番号入力装置は、よりセキュリティを向上させることができ好ましい。
また本発明の暗証番号入力装置は、上述した第一〜第四の実施形態を組み合わせて構成してもかまわない。つまりテンキー２の所定場所（例えば、左上、中央、右下）に数値、記号、文字、図形を任意に組み合わせてもよい。このように構成することによって暗証番号がより複雑になり、利用者がテンキー２に入力する様子が第三者に視認されたとしてもその暗証番号を推察することが極めて困難となる。
【００４０】
尚、本発明の暗証番号入力装置は、上記した実施の形態に限定されるものではなく、本発明の要旨を逸脱しない範囲内において種々変更を加えることが可能である。
例えば、上述した本発明に係る暗証番号入力装置は、テンキー２に三つの数列群があるものを例示したが、これに限定されるものではなく、任意に設定することができる。例えば、テンキーの四隅と中央部の五箇所に数列群を設定してもよい。あるいは、上述した暗証番号入力装置は、１０個のテンキーを用いるものであったが、１０個に限定されることなく、暗証番号入力装置が適用されるシステムに応じて入力キーの数を任意に設定してもよい。
【００４１】
あるいは本発明の暗証番号入力装置は、間接的に指定した暗証番号を用いれば、例え複数回、暗証番号を入力する画面を第三者に視認されたとしても高いセキュリティを維持することができる。例えばテンキー２の左上に「３」が表示されたテンキー２の中央部の数値は、キー配列制御部１２によって暗証番号を入力する都度、異なる数値が表示される。したがって、「３」左下にテンキー２を押下するというように、暗証番号を間接的に指定して入力するように構成すれば、キー配列制御部１２によって暗証番号を入力する都度、異なる数値が表示されるので、より高いセキュリティが維持できる等の本発明の暗証番号入力装置は、実用上極めて効果である。
【図面の簡単な説明】
【００４２】
【図１】本発明の一実施形態に係る暗証番号入力装置の概略構成を示すブロック図。
【図２】本発明の第一の実施形態に係る暗証番号入力装置における表示部に表示されたテンキーの一例を示す図。
【図３】図２に掲げたテンキーの配列を示す図。
【図４】図２に示した表示部に表示されたテンキーにおいて、数列群の並び替えを行った一例を示す図。
【図５】図４に掲げたテンキーの配列を示す図。
【図６】本発明の第二の実施形態に係る暗証番号入力装置における表示部に表示されたテンキーの一例を示す図。
【図７】本発明の第四の実施形態に係る暗証番号入力装置における表示部に表示されたテンキーの一例を示す図。
【図８】従来の暗証番号入力装置における表示画面の一例を示す図。
【符号の説明】
【００４３】
１      表示部
２      テンキー
３      入力キー
４      クリアキー
５      ネットワーク
６      ホストコンピュータ
１０    端末
１１    入力部
１２    キー配列制御部
１３    配列テーブル
１４    通信インタフェース
１５    制御部
【図１】
2008225742.tif 000003
【図２】
2008225742.tif 000004
【図３】
2008225742.tif 000005
【図４】
2008225742.tif 000006
【図５】
2008225742.tif 000007
【図６】
2008225742.tif 000008
【図７】
2008225742.tif 000009
【図８】
2008225742.tif 000010